(57)【要約】  【課題】万が一可燃性冷媒が冷蔵庫内に洩れた場合でもサービス交換に配慮した庫内灯の接点から発火に至らないようランプソケットは密封構造に、またドアスイッチも無接点仕様にして防爆対応しなければならず高価となるという課題を有していた。  【解決手段】上記従来の課題を解決するために、本発明の冷蔵庫はＬＥＤ発光素子を基板に実装したものを庫内灯に採用することにより長寿命・低発熱・薄型形状となるため気密構造体の中へ取付けも可能になり常時点灯通電で基板を庫内に設置できるようになり、ドアスイッチ等複雑な回路構成をなくし取付けによる出っ張りもなく安価でデザイン性を向上させることができる。【選択図】図１
2010060251.tif 000002
【特許請求の範囲】
【請求項１】
庫内灯装置が常時点灯であることを特徴とする冷蔵庫。
【請求項２】
前記庫内灯装置が脱着可能であることを特徴とする請求項１に記載の冷蔵庫。
【請求項３】
前記庫内灯装置に発光素子を採用したことを特徴とする請求項１または２に記載の冷蔵庫。
【請求項４】
前記庫内灯装置の端子が回路接続接点を兼ねていることを特徴とする請求項１から３のいずれか一項に記載の冷蔵庫。
【請求項５】
前記庫内灯装置の発光素子端子が回路接続接点を兼ねていることを特徴とする請求項１から４のいずれか一項に記載の冷蔵庫。
【請求項６】
光拡散カバーが前記庫内灯装置と一体になっていることを特徴とする請求項１から５のいずれか一項に記載の冷蔵庫。
【請求項７】
前記庫内灯装置が取付面より埋設した位置に配置したことを特徴とする請求項１から６のいずれか一項に記載の冷蔵庫。
【請求項８】
前記庫内灯装置を庫内天面手前側に配置し食品を手前から照射することを特徴とする請求項１から７のいずれか一項に記載の冷蔵庫。
【発明の詳細な説明】
【技術分野】
【０００１】
本発明は、光の指向性が高く長寿命低発熱のＬＥＤ発光素子を基板に実装したものを庫内灯に採用し、省スペースでデザイン性にも優れ、簡単に脱着交換可能にすることで貯蔵食品等の視認性を高めパーソナルニーズに合せた庫内照明を楽しめる冷蔵庫に関するものである。
【背景技術】
【０００２】
近年、冷蔵庫は可燃性冷媒を用いて脱フロン化が進んでおり、環境に配慮することが必要不可決である。そのため万が一可燃性冷媒が冷蔵庫内に洩れた場合でもサービス交換に配慮した庫内灯の接点から発火に至らないようランプソケットは密封構造に、またドアスイッチも無接点仕様にして防爆対応するようになってきている（例えば、特許文献１参照）。
【０００３】
以下、図面を参照しながら、上記従来の冷蔵庫について説明する。
【０００４】
図３は、特許文献１に記載された従来の冷蔵庫１を示すものであり、冷蔵室２は食品棚３と背面に備えた冷気風路４と庫内灯５とより成っている。
【０００５】
冷蔵室２の手前側壁にはドアスイッチ６が設置してあり庫内灯の点灯消灯を制御している。
【０００６】
上記構成において、冷蔵室扉を開放させるとドアスイッチ６が短絡し庫内灯５を点灯させる。冷蔵室扉を閉じるとドアスイッチ６が開放し庫内灯５を消灯させる。
【特許文献１】実開平６−５６６８１号公報
【発明の開示】
【発明が解決しようとする課題】
【０００７】
しかしながら、上記従来の冷蔵庫では、万が一可燃性冷媒が冷蔵庫内に洩れた場合でもサービス交換に配慮した庫内灯の接点から発火に至らないようランプソケットは密封構造に、またドアスイッチも無接点仕様にして防爆対応しなければならず高価となると共に、ランプ強度寿命がないため簡単にサービス交換でき、ランプ自体が発熱するためドア開放時のみ点灯するようにしなければならず複雑な回路構成・形状仕様にしなければならない、また庫内の形状が凸凹となりデザイン性に欠け見栄えが悪いという課題を有していた。
【０００８】
本発明は上記従来の課題を解決するものであり、ＬＥＤ発光素子を基板に実装したものを庫内灯に採用することにより長寿命・低発熱・薄型形状となるため気密構造体の中へ取付けも可能になり常時点灯通電で基板を庫内に設置できるようになり、ドアスイッチ等複雑な回路構成をなくし取付けによる出っ張りもなく安価でデザイン性を向上させることができる、また電線ハーネスレスの簡単構造で脱着交換可能になり、コンパクト性を生かし最適位置に庫内灯を設置することができるためＬＥＤ発光素子の高い指向性を利用することで庫内食品の視認性を高めた冷蔵庫を提供することを目的とする。
【課題を解決するための手段】
【０００９】
上記従来の課題を解決するために、本発明の冷蔵庫の庫内灯はＬＥＤ発光素子を基板に直接実装したものを採用することにより長寿命・低発熱・薄型形状となるため気密構造体の中へ取付けも可能になり常時点灯通電で基板を庫内に設置できるようになり、ドアスイッチ等複雑な回路構成をなくし取付けによる出っ張りもなく安価でデザイン性を向上させることができる、また電線ハーネスレスの簡単構造で脱着交換可能になり、コンパクト性を生かし最適位置に庫内灯を設置することができるためＬＥＤ発光素子の高い指向性を利用することで庫内食品の視認性を高めることができる。
【発明の効果】
【００１０】
本発明の冷蔵庫は、庫内灯にＬＥＤ発光素子を基板に直接実装したものを採用することにより低電力で発熱を防止でき気密構造体の中へ取付けも可能になり常時点灯通電で基板を庫内に設置できるようになり、ドアスイッチ等複雑な回路構成をなくし薄型仕様を実現したことで取付けによる出っ張りもなく安価でデザイン性を向上させることができる、また電線ハーネスレスの簡単構造で脱着交換可能になり、コンパクト性を生かし最適位置に庫内灯を設置することができるためＬＥＤ発光素子の高い指向性を利用することで庫内食品の視認性を高めることができる。
【発明を実施するための最良の形態】
【００１１】
本発明の冷蔵庫は、庫内灯にＬＥＤ発光素子を基板に直接実装したものを採用することにより低電力で発熱を防止でき気密構造体の中へ取付けも可能になり常時点灯通電で基板を庫内に設置できるようになり、ドアスイッチ等複雑な回路構成をなくし薄型仕様を実現したことで取付けによる出っ張りもなく安価でデザイン性を向上させることができる、また電線ハーネスレスの簡単構造で脱着交換可能になり、コンパクト性を生かし最適位置に庫内灯を設置することができるためＬＥＤ発光素子の高い指向性を利用することで庫内食品の視認性を高めることができる。
【００１２】
以下、本発明の実施の形態について、図面を参照しながら説明する。なお、この実施の形態によってこの発明が限定されるものではない。
【００１３】
（実施の形態１）
図１（ａ）は本発明の実施の形態１における冷蔵庫の庫内灯装置の詳細断面図、図１（ｂ）は本発明の実施の形態１における冷蔵庫の庫内灯装置の斜視図、図２は本発明の実施の形態１における冷蔵庫の中央断面図である。
【００１４】
図１および図２において、１は冷蔵庫を示すものであり、冷蔵室２は食品棚３と背面に備えた冷気風路７と庫内灯装置８とより成って、庫内灯装置８は常時点灯通電している。庫内灯装置８は光拡散カバー９と庫内灯ベース１０とによって、ＬＥＤ発光素子１２が表面に導通回路をプリントした庫内灯基板１１の上に配置して挟み込むよう気密構造体を形成しており、接続ピン端子１３がＬＥＤ発光素子１２から庫内灯基板１１を介して直接突起配置している。冷蔵室２の庫内天面表面２ａには凹み形状２ｂを設け底面には結線ターミナル１４を配して、庫内灯装置８を挿入すると結線ターミナル１４の結線端子１４ａと接続ピン端子１３が結線され庫内灯回路を形成、通電により庫内灯が点灯するよう構成してある。
【００１５】
以上のように構成された冷蔵庫について、以下その動作、作用を説明する。
【００１６】
庫内灯装置８はＬＥＤ発光素子１２を基板１１に直接実装しており低電力で発熱を防止できるため電線ハーネスのないひとつの気密構造体として構成してあるため常時点灯通電で基板１１を庫内に設置できるようになり、また脱着交換時に結線配線をする必要がなく作業が簡単にでき、冷蔵室２の天面部に凹み形状で配置してあるため庫内灯装置８を外したままの使用でも水掛かりによる故障不具合がない、ドアスイッチ等複雑な回路構成をなくし庫内天面表面２ａの位置より光拡散カバー９表面９ｂが凹んだ位置１５に配置してあるため取付けによる出っ張りもなく冷気風路７の形状はフラットで安価でデザイン性を向上させることができる、またコンパクト性を生かし庫内の何処にでも幾つでも最適位置に（この場合は冷蔵室２天面手前側）ＬＥＤ発光素子１２を設置することができるためＬＥＤ発光素子１２の光照射方向を食品棚３の手前から光を遮ることなく全体に行き届かせ庫内食品の視認性を高めることができる。
【産業上の利用可能性】
【００１７】
以上のように、本発明にかかる冷蔵庫は、庫内灯にＬＥＤ発光素子を基板に直接実装したものを採用することにより低電力で発熱を防止でき気密構造体の中へ取付けも可能になり常時点灯通電で基板を庫内に設置できるようになり、ドアスイッチ等複雑な回路構成をなくし薄型仕様を実現したことで取付けによる出っ張りもなく安価でデザイン性を向上させることができる、また電線ハーネスレスの簡単構造で脱着交換可能になり、コンパクト性を生かし最適位置に庫内灯を設置することができるためＬＥＤ発光素子の高い指向性を利用することで庫内食品の視認性を高めることができるもので冷蔵機器全般の用途にも適用できる。
【図面の簡単な説明】
【００１８】
【図１】（ａ）本発明の実施の形態１における冷蔵庫の庫内灯装置の詳細断面図（ｂ）本発明の実施の形態１における冷蔵庫の庫内灯装置の斜視図
【図２】本発明の実施の形態１おける冷蔵庫の中央断面図
【図３】従来の冷蔵庫の中央断面図
【符号の説明】
【００１９】
１    冷蔵庫
２    冷蔵室
３    食品棚
８    庫内灯装置
９    光拡散カバー
１０  庫内灯ベース
１１  庫内灯基板
１２  ＬＥＤ発光素子
１３  接続ピン端子
１４  結線ターミナル
【図１】
2010060251.tif 000003
【図２】
2010060251.tif 000004
【図３】
2010060251.tif 000005